(57)【要約】【課題】抽出バッグ用シートから個々の抽出バッグを製袋する際のシール部位に糸材が無く、かつ高い生産速度で製造することができる抽出バッグ用シートの製造方法及び製造装置を提供する。【解決手段】吊し糸４と接着したタグ３が、通水濾過性シート２の長手方向に所定間隔で配列している抽出バッグ用シート１Ａの製造方法が、次の工程（１）回転担持体１０上で、タグ３に吊し糸４が固定されている、タグ３と吊し糸４の断続的パターンを形成する工程、（２）断続的パターンに形成したタグ３と吊し４糸を、通水濾過性シート２と接着する工程を有する。【選択図】図１
2010064769.tif 000002
【特許請求の範囲】
【請求項１】
吊し糸と接着したタグが、通水濾過性シートの長手方向に所定間隔で配列している抽出バッグ用シートの製造方法であって、次の工程
（１）回転担持体上で、タグに吊し糸が固定されている、タグと吊し糸の断続的パターンを形成する工程、
（２）断続的パターンに形成したタグと吊し糸を、通水濾過性シートと接着する工程
を有する抽出バッグ用シートの製造方法。
【請求項２】
工程（１）の断続的パターンの形成工程が、次の工程
(1a)タグを回転担持体の周面に所定間隔で配置すると共に、吊し糸用の長尺の糸材を、隣り合うタグの少なくとも一方上を通り、それらのタグ間に導いたパターンに配置する工程
(1b)糸材とタグを固定する工程
(1c)隣り合うタグ間の糸材を切断する工程
を有する請求項１記載の製造方法。
【請求項３】
工程（１）の断続的パターンの形成工程において、工程(1c)の後に次の工程
(1d)切断した糸材を所定の向きに整える工程
を有する請求項２記載の製造方法。
【請求項４】
工程（２）が、次の工程
(2a)断続的パターンに形成したタグと吊し糸を、回転担持体から通水濾過性シートに移す工程
(2b)工程(2a)以降でタグと吊し糸を、それぞれ通水濾過性シートと接着する工程
を有する請求項１〜３のいずれかに記載の製造方法。
【請求項５】
工程(2a)において、断続的パターンに形成したタグと吊し糸を、回転担持体の直下で通水濾過性シートに移す請求項４記載の製造方法。
【請求項６】
吊し糸と接着したタグが、通水濾過性シートの長手方向に所定間隔で配列している抽出バッグ用シートの製造装置であって、
タグを所定間隔で保持する手段、及びタグ上に吊し糸が固定されている、タグと吊し糸の断続的パターンを形成する手段を備えた回転担持体、並びに
断続的パターンに形成したタグと吊し糸を通水濾過性シートと接着する接着手段を備えた製造装置。
【請求項７】
回転担持体が、
吊し糸用の長尺な糸材を、回転担持体の周面に張る手段、
タグを回転担持体の周面に所定間隔で配置し、保持する手段、
回転担持体の周面に張った糸材を、隣り合うタグの少なくとも一方上を通るようにそれらの間に導く糸材回旋手段、
隣り合うタグの間に糸材を引き出した状態で、糸材とタグを固定する手段
隣り合うタグの間の糸材を切断することにより、タグと吊し糸の断続的パターンを形成する手段、
を備えている請求項６記載の製造装置。
【請求項８】
回転担持体が、隣り合うタグの間で切断した糸材を所定の向きに整える吊し糸の整列手段を有する請求項６又は７記載の製造装置。
【請求項９】
回転担持体の直下に通水濾過性シートを搬送する搬送系を有し、断続的パターンに形成したタグと吊し糸を、回転担持体の直下で回転担持体から通水濾過性シートに移す請求項６〜８のいずれかに記載の製造装置。
【発明の詳細な説明】
【技術分野】
【０００１】
本発明は、ティーバッグ、だしの抽出バッグ等の抽出バッグの製造に使用される抽出バッグ用シートの製造方法及び製造装置に関する。
【背景技術】
【０００２】
紅茶、緑茶、ハーブ等のティーバッグ、煮干し、鰹節等の出汁の抽出バッグとして、不織布、紗等の通水濾過性シートを平袋状、四面体状等の袋体に形成すると共に、その内部に茶葉等の抽出材料を充填し、その外表面にタグ付吊し糸を取り付けたものが使用されている（特許文献１）。
【０００３】
抽出バッグの製造に使用する抽出バッグ用シートは、製造する抽出バッグの形状や、吊し糸の長さ、タグの形状などにより種々の態様があるが、従来、吊し糸の一端が接着されているタグを、帯状の通水濾過性シートの長手方向に所定間隔で一列に配置したものが使用されている。このような抽出バッグ用シートの製造方法としては、長尺な糸材にタグを所定間隔で取り付け、そのタグ付の長尺な糸材を、長尺な通水濾過性シートの幅方向に引き出し、タグと糸材をそれぞれ通水濾過性シートと接着し、糸材を後続の糸材から切断する方法がある（特許文献２）。
【０００４】
しかしながら、この方法によれば、タグと吊し糸の接着を、通水濾過性シートを連続的に搬送しながら行うことはできず、生産速度を十分に高めることができない。
【０００５】
これに対し、回転担持体の周面に所定間隔でタグを配置し、その上に長尺な糸材を所定パターンで張って各タグと糸材を接着し、そのタグと糸材の上に通水濾過性シートを供給し、回転担持体上でタグと糸材とを通水濾過性シートと接着する方法が知られている。これにより、図８に示す抽出バッグ用シート１Ｘのように、長尺の通水濾過性シート２の長手方向にタグ３が所定間隔で配列すると共に、長尺の糸材４ｂが所定パターンに配置され、各タグ３と接着している抽出バッグ用シートを得ることができる（特許文献３、特許文献４）。なお、図中、破線で区切った領域が抽出バッグ１個分の領域に相当する。
【０００６】
この方法によれば、通水濾過性シート２を連続的に搬送しながら抽出バッグ用シート１Ｘを製造することができるので、特許文献２の方法に比して抽出バッグ用シートの生産速度を高めることができる。
【０００７】
しかしながら、抽出バッグ用シート１Ｘ上で糸材４ｂが連続しているため、抽出バッグ用シート１Ｘから個々の抽出バッグを製袋する際のシール部位（破線部分）に糸材４ｂが存在することにより、シール装置に負担がかかり、またシール装置が糸材４ｂを噛むおそれもある。
【０００８】
【特許文献１】特開平7-61465号公報
【特許文献２】特開平9-24907号公報
【特許文献３】特表2001-519729号公報
【特許文献４】特表2006-510550号公報
【発明の開示】
【発明が解決しようとする課題】
【０００９】
本発明は、抽出バッグ用シートから個々の抽出バッグを製袋する際のシール部位に糸材が無く、かつ高い生産速度で製造することができる抽出バッグ用シートの製造方法及び製造装置を提供することを目的とする。
【課題を解決するための手段】
【００１０】
本発明者は、回転担持体上に所定間隔でタグを配置し、長尺の糸材を用いて抽出バッグ用シートを製造するにあたり、回転担持体上で長尺の糸材を個々の抽出バッグ分の長さの吊し糸に切断し、回転担持体上にタグと吊し糸の断続的パターンを形成すると、抽出バッグ用シートを高い生産速度で製造することができ、かつ抽出バッグ用シートから個々の抽出バッグを製袋する際のシール工程で糸材が支障をきたすことを防止できることを見いだした。
【００１１】
即ち、本発明は、吊し糸と接着したタグが、通水濾過性シートの長手方向に所定間隔で配列している抽出バッグ用シートの製造方法であって、次の工程
（１）回転担持体上で、タグに吊し糸が固定されている、タグと吊し糸の断続的パターンを形成する工程、
（２）断続的パターンに形成したタグと吊し糸を、通水濾過性シートと接着する工程
を有する抽出バッグ用シートの製造方法を提供する。
【００１２】
また、本発明は、上述の抽出バッグ用シートの製造方法を実施する装置として、吊し糸と接着したタグが、通水濾過性シートの長手方向に所定間隔で配列している抽出バッグ用シートの製造装置であって、
タグを所定間隔で保持する手段、及びタグ上に吊し糸が固定されている、タグと吊し糸の断続的パターンを形成する手段を備えた回転担持体、並びに
断続的パターンに形成したタグと吊し糸を通水濾過性シートと接着する接着手段を備えた製造装置を提供する。
【発明の効果】
【００１３】
本発明によれば、回転担持体上で、長尺の糸材を個々の抽出バッグ分の長さの吊し糸に切断した吊し糸の断続的パターンを、回転担持体の動きを止めることなく連続的に形成し、さらにこの断続的パターンを通水濾過性シートに、その通水濾過性シートの搬送を止めることなく連続的に接着することができる。したがって、抽出バッグ用シートを高い生産速度で製造することが可能となる。
【００１４】
また、本発明により得られる抽出バッグ用シートは、吊し糸が断続的パターンであるため、抽出バッグ用シートから個々の抽出バッグを製袋する際のシール部位に、吊し糸が存在しないように製袋することができる。したがって、吊し糸によりシール工程に支障がきたされることが防止される。
【発明を実施するための最良の形態】
【００１５】
以下、図面を参照しつつ、本発明を詳細に説明する。なお、各図中、同一符号は、同一又は同等の構成要素を表している。
【００１６】
図１は、本発明の製造方法を実施する製造装置の一態様の全体概略図であり、図２は、その回転担持体の概略斜視図、図３は、回転担持体における吊し糸のパターンの形成機構の説明図、図４は回転担持体の下流の超音波溶着装置付近の概略斜視図である。
【００１７】
図１に示すように、この製造装置１００Ａは、回転担持体１０、回転担持体１０に供給する長尺のタグ用テープ３ｂを巻き回したタグ巻取ロール２１、回転担持体１０に供給する長尺の糸材４ｂを巻き回した糸材巻取ロール２２、回転担持体１０の下方に供給する長尺の通水濾過性シート２を巻き回した通水濾過性シート巻取ロール２３、長尺の糸材４ｂを抽出バッグ１個分に要する長さに切り離した吊し糸４とタグ３とを通水濾過性シート２に接着した抽出バッグ用シート１Ａを巻き取る抽出バッグ用シート巻取ロール２４を備えている。
【００１８】
ここで、タグ用テープ３ｂの素材は、タグ３と吊し糸４あるいはタグ３と通水濾過性シート２との接着方法に応じて適宜選択する。例えば、これらの接着を超音波溶着とする場合には、ポリエチレン、ポリプロピレン、ポリ乳酸系樹脂、コハク酸系樹脂等の熱可塑性樹脂からなる樹脂シート、あるいはこれらの樹脂をラミネートした紙等からなるテープ状部材を使用することが好ましい。タグ用テープ３ｂには、必要に応じて、これをカップ等に引っ掛けるための切り込みや切欠部を所定間隔で設けてもよい。
【００１９】
糸材４ｂも、その素材はタグ用テープ３ｂと同様に接着方法に応じて適宜選択することが好ましく、糸材４ｂの接着を超音波溶着とする場合には、ポリプロピレン、ポリエチレン、ポリ乳酸系樹脂、コハク酸系樹脂等の熱可塑性合成繊維等からなる糸材を使用することが好ましい。
【００２０】
通水濾過性シート２としては、例えば、ポリ乳酸系樹脂、コハク酸系樹脂等からなる生分解性繊維、ポリエステル、ナイロン、ポリエチレン、ポリプロピレン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等の紙類、多くの細孔を開けたフィルム等の繊維層又はフィルムからなり、必要によりヒートシール層を積層したものを使用することができる。
【００２１】
抽出液に水道水のカルキ臭が感じられることを防止する点からは、上述の織布、不織布、混抄紙、紙類などを形成する繊維に、カルキ臭を吸収するキチンキトサン繊維又はキチンキトサンセルロース繊維を複合させたものが好ましい。キチンキトサン繊維又はキチンキトサンセルロース繊維としては、例えば、特開平９−２４１９２８号公報に記載の繊維を使用することができる。
【００２２】
また、通水濾過性シート２としては、１層目がレギュラーポリエステル、２層目がレギュラーポリエステルと低融点ポリエステルとの混抄紙からなる２層構造のシート材料、ポリエステルスパンボンド不織布とポリエステルメルトブロー不織布とポリエステルスパンボンド不織布の積層シート材料等が、味、香り、風味、抽出時間の点で好ましい。
【００２３】
通水濾過性シート２の厚さとしては、４０〜３００μｍが好ましく、また目付は１０〜５０ｇ／ｍ2が好ましい。
【００２４】
タグ巻取ロール２１、糸材巻取ロール２２、通水濾過性シート巻取ロール２３から回転担持体１０に至る各搬送系には、それぞれタグ用テープ３ｂ、糸材４ｂ、通水濾過性シート２のテンションを調整するテンション調整装置２５ａ、２５ｂ、２５ｃが設けられている。
【００２５】
回転担持体１０は、矢印方向に一定速度で回転しており、その周面に所定間隔でタグ保持プレート１１を有している。各タグ保持プレート１１にはタグ３の吸引保持機構が設けられている。また、糸材４ｂを回転担持体１０の周面に張る手段として、回転担持体１０は、各タグ保持プレート１１の近傍に突出したピン１２を有しており、周面近傍には、回転担持体１０の周面に張る糸材４ｂの基点となる糸折返ローラー２６を有している。
【００２６】
回転担持体１０の周面近傍にはタグカット供給装置３０が設けられている。タグカット供給装置３０は、タグ用テープ３ｂを抽出バッグ１個分のタグ３にギロチン刃３１で切断し、タグ３を回転担持体１０の周面に所定間隔で供給する。
【００２７】
なお、図１に示した本実施例の装置１００Ａでは、タグカット供給装置３０よりも糸折返ローラー２６を上流に配置しているが、糸折返ローラー２６に対してタグカット供給装置３０を上流に配置してもよい。
【００２８】
回転担持体１０において、隣り合うタグ保持プレート１１の間には、回転担持体１０の周面に張った糸材４ｂを、回転担持体１０の回転角度に応じて、図３に示すように、隣り合うタグ３の少なくとも一方上を通るようにそれらのタグ３間に導く糸材回旋手段として矩形板状のプッシャー１３が設けられている。プッシャー１３は、回転担持体１０と駆動源を共通にし、回転担持体１０の回転角度に応じて回転担持体１０の略軸方向に出入りする。また、プッシャー１３の側面には、糸材４ｂを案内する溝１４が形成されている。
【００２９】
プッシャー１３が、上述のように、回転担持体１０の周面に張った糸材４ｂを隣り合うタグ３間に導いた状態で糸材４ｂとタグ３とを固定する手段として、回転担持体１０の周面上には、糸材４ｂとタグ３とを強く接着する第１の超音波溶着装置４０が設けられている。図３の符号Ｐ1は、この第１の超音波溶着装置４０による接着部位を示している。第１の超音波溶着装置４０はカム機構により、超音波溶着時に図２の矢印ａのように被接着物と共に移動し、回転担持体１０の回転や通水濾過性シート２の搬送系の動きが止まらないようにしている。また、第１の超音波溶着装置４０の超音波溶着時の受台としては、タグ保持プレート１１が使用されている。
【００３０】
なお、この糸材４ｂとタグ３との固定手段としては、超音波溶着装置に代えて、熱溶着装置を設けてもよい。また、糸材４ｂをタグ３に機械的に押し付けて固定する押圧手段を設けてもよく、その場合には、その押圧手段による押し付けを解除後、回転担持体１０の周面外で別途、糸材４ｂとタグ３とを接着する手段を設ける。
【００３１】
第１の超音波溶着装置４０の下流には隣り合うタグ３の間の糸材４ｂを切断することにより、タグ３と吊し糸４の断続的パターンを形成する手段として、回転刃１５が設けられている。回転刃１５による糸材４ｂの切断位置は、図３に符号Ｑで示すように、隣り合うタグ３の一方に偏った位置とすることが好ましい。
【００３２】
この切断位置Ｑから回転担持体１０の直下に至るまでの間に、切断した糸材４ｂ（即ち、吊し糸４）を略直線状に伸ばし、所定の向きに整える吊し糸４の整列手段として、図３のように、糸材４ｂの切断後も回転担持体１０の軸方向に突出するプッシャー１３と、回転担持体１０の軸方向（矢印ｍ方向）に吊し糸４を吸引する吸引手段１６が設けられている。なお、吸引手段に代えて、矢印ｍ方向に送風する送風手段を設けてもよい。
【００３３】
本実施例の製造装置１００Ａは、回転担持体１０の直下に通水濾過性シート２を搬送する搬送系を有し、回転担持体１０の最下部ではタグ保持プレート１１上のタグ３の吸引を切り、断続的パターンに形成したタグ３と吊し糸４が、回転担持体１０から通水濾過性シート２に移るようにしている。
【００３４】
また、回転担持体１０の直下には、そこに搬送された通水濾過性シート２とタグ３とを、容易に剥離できるように位置Ｐ2で仮接着する第２の超音波溶着装置４１が設けられ、図４に示すように、さらに下流の回転担持体１０から離れた通水濾過性シート２の搬送路上には、吊し糸４の端部を通水濾過性シート２と位置Ｐ3で強く接着する第３の超音波溶着装置４２、及び吊し糸４の中央部を位置Ｐ4で通水濾過性シート２と仮接着する第４の超音波溶着装置４３が設けられている。
【００３５】
このうち、第２の超音波溶着装置４１は、前述の第１の超音波溶着装置得４０と同様に回転担持体１０表面のタグ保持プレート１１を超音波溶着時の受台とし、第３の超音波溶着装置４２と第４の超音波溶着装置４３は、それぞれ受台４２ｂ、受台４３ｂを備えている。また、第２の超音波溶着装置４１は、カム機構により、超音波接着時に回転担持体１０の回転速度に合わせて図２の矢印ｂのように移動し、第３の超音波溶着装置４２と第４の超音波溶着装置４３は図４の矢印ｃ、矢印ｄのように通水濾過性シート２の搬送速度に合わせて移動し、それぞれ超音波溶着時に回転担持体１０の回転や通水濾過性シート２の搬送系の動きが止まらないようにしている。
【００３６】
また、回転担持体１０の直下から第４の超音波溶着装置４３の設置位置にかけて、矢印ｎのように通水濾過性シート２の幅方向に吊し糸４を吸引する吸引手段１７が設けられている。これにより吊し糸４は、幅方向に伸びた状態で整列し、通水濾過性シート２に接着される。
【００３７】
なお、本発明においては、タグ３と吊し糸４を通水濾過性シート２と接着する接着手段として、超音波溶着装置４１、４２、４３に代えて熱溶着装置を設けてもよい。
【００３８】
この製造装置１００Ａにおいて、抽出バッグ用シート１Ａは、（１）回転担持体１０上でタグ３と吊し糸４の断続的パターンを形成する工程と、（２）断続的パターンに形成したタグ３と吊し糸４を、通水濾過性シート２と接着する工程とから、次のように製造される。
【００３９】
即ち、（１）の断続的パターンの形成工程では、まず、糸材巻取ロール２２から糸材４ｂを引き出し、その糸材４ｂを、糸折返ローラー２６を介して回転担持体１０に供給する。糸材４ｂは、タグ保持プレート１１のタグ保持面から突出しているピン１２に掛かり、回転担持体１０の矢印方向の回転により、回転担持体１０の周方向に張られる。
【００４０】
また、タグ巻取ロール２１からタグ用テープ３ｂを引き出し、図２に示すように、タグカット供給装置３０により回転担持体１０のタグ保持プレート１１にタグ３を所定間隔で供給する。回転担持体１０のタグ保持プレート１１は、タグカット供給装置３０から供給されたタグ３を、直ちにタグ保持プレート１１に吸引保持する。
【００４１】
次に、プッシャー１３を、隣り合うタグ３の間に押し出す。これにより、プッシャー１３の溝１４に掛かった糸材４ｂは、隣り合うタグ３の少なくとも一方上を通り、それらのタグ３間に導かれたパターンとなる。そして、図３に示すように、隣り合うタグ３間の糸材４ｂの長さが、抽出バッグ１個分の吊し糸４の長さとなるようにプッシャー１３が押し出されたところで、第１の超音波溶着装置４０で、タグ３と糸材４ｂを接着部位Ｐ１で接着し、回転刃１５が、糸材４ｂを、隣り合うタグ３のいずれか一方に寄せた位置Ｑで切断し、プッシャー１３が、切断した糸材４ｂ（吊し糸４）を引き続き同方向に押し出す。また、このとき切断した糸材４ｂを、回転担持体１０の軸方向（ｍ方向）に吸引し、同方向に伸ばして整列させる。
【００４２】
こうして、回転担持体１０上にタグ３と吊し糸４の断続的パターンが形成される。
【００４３】
回転担持体１０上にタグ３と吊し糸４の断続的パターンを形成した後は、（２）の断続的パターンに形成したタグ３と吊し糸４の、通水濾過性シート２との接着工程を、特許文献３や特許文献４に記載されているような公知の手法により、回転担持体１０上に通水濾過性シート２を供給し、回転担持体１０上でタグ３と吊し糸４を通水濾過性シート２と接着することにより行ってもよいが、その場合には、回転担持体１０上に超音波溶着装置等の接着装置を集中させなくてならないので、接着装置の設計の自由度が制約される。
【００４４】
そこで、工程（２）を、(2a)回転担持体１０に形成したタグ３と吊し糸４の断続的パターンを通水濾過性シート２に移す工程と、(2b)工程(2a)以降にタグ３と吊し糸４をそれぞれ通水濾過性シート２と接着する工程とから行うことが好ましく、特に工程(2b)は、タグ３と吊し糸４の断続的パターンを通水濾過性シート２に移すときにタグ３を通水濾過性シート２と接着し、その後に吊し糸４と通水濾過性シート２とを接着することが好ましい。これによりタグ３と吊し糸４を通水濾過性シート２と接着する際の接着装置の自由度を高め、抽出バッグ用シートの製造装置１００Ａ全体としての保守等も容易となる。
【００４５】
図１の製造装置１００Ａは、上述の工程(2a)、(2b)によりタグ３と吊し糸４を通水濾過性シート２と接着する工程を行うものであり、タグ３と吊し糸４の断続的パターンが形成されている回転担持体１０の最下部で、回転担持体１０はタグ３の吸引を切り、タグ３と吊し糸４を、回転担持体１０からその直下に搬送されている通水濾過性シート２に移す。
【００４６】
また、回転担持体１０の最下部で、第２の超音波溶着装置４１でタグ３と通水濾過性シート２とを接着部位Ｐ2で仮接着する。
【００４７】
その後、矢印方向ｎに吊し糸４を吸引して糸を整列させ、第３の超音波溶着装置４２でタグ３と吊し糸４とを接着部位Ｐ3で強接着すると共に、第４の超音波溶着装置４３で吊し糸４と通水濾過性シート２とを接着部位Ｐ4で仮接着する。
【００４８】
こうして、吊し糸４と接着したタグ３が、通水濾過性シート２上で通水濾過性シート２の長手方向に所定間隔で配列している抽出バッグ用シート１Ａを得る。
【００４９】
得られた抽出バッグ用シート１Ａは、図５に示すように抽出バッグ用シート巻取ロール２４に巻取る。抽出バッグ用シート巻取ロール２４に巻き取られた抽出バッグ用シート１Ａは、矩形あるいはピラミッド型の抽出バッグを製造する従前の製袋装置で使用することができ、特に、抽出バッグ用シート１Ａから個々の抽出バッグを製造する際のシール部位（破線）に吊し糸４が存在しないため、製袋時のシールを円滑に行うことが可能となる。
【００５０】
本発明は、回転担持体上でタグと吊し糸の断続的パターンを形成する種々の態様を包含する。
【００５１】
例えば、図６に示す抽出バッグ用シートの製造装置１００Ｂのように、第１の回転担持体１０ａを用いて、図１に示した装置と同様にして、通水濾過性シート２にタグ３と吊し糸４の断続的パターンを形成する。ただし、各パターンのピッチを倍に広げる。そして、引き続き、第２の回転担持体１０ｂを用いて、通水濾過性シート２にタグ３と吊し糸４の断続的パターンを形成する。
【００５２】
この場合、図７の抽出バッグ用シート１Ｂに示すように、第１の回転担持体１０ａによるタグ３と吊し糸４のパターンと、第２の回転担持体１０ｂによるタグ３と吊し糸４のパターンのトータルのピッチが揃うようにする。
【００５３】
また、抽出バッグ用シートを巻き取ったロールがコーン形状とならないようにして、ロールの取扱性を向上させるため、通水濾過性シート２におけるタグ３の配列を、通水濾過性シート２の片側縁部でなく、両側縁部に形成することが好ましい。そこで、図７に示すように、第１の回転担持体１０ａによるタグ３と吊し糸４のパターンと、第２の回転担持体１０ｂによるタグ３と吊し糸４のパターンを逆向きにすることが好ましい。
【００５４】
また、上述の製造装置１００Ａにおいて、隣り合うタグ３の間に糸材４ｂを導く糸材回旋手段、及び、隣り合うタグ３の間で切断した糸材４ｂを略直線状に伸ばす吊し糸の整列手段としては、プッシャー１３に代えて、回転担持体１０の周方向に張った糸材４ｂを、ピン１２と反対側から引っ掛け、隣り合うタグ３の間に引き出す手段を設けてもよい。
【００５５】
回転担持体１０上に断続的パターンに形成したタグ３と吊し糸４を通水濾過性シート２に移す工程で、通水濾過性シート２の背面から吸引することにより、回転担持体１０の直下以外の部位に通水濾過性シート２を搬送し、タグ３と吊し糸４を通水濾過性シート２に移してもよい。
【００５６】
タグ３と吊し糸４を、回転担持体１０から通水濾過性シート２に移した後、糸を整列させるために、吸引手段１７に代えて、矢印ｎ方向に送風する送風手段を設けてもよい。
【産業上の利用可能性】
【００５７】
本発明は、タグ付吊し糸を備えた種々の抽出バッグ用シートの製造に有用である。
【図面の簡単な説明】
【００５８】
【図１】抽出バッグ用シートの製造装置の全体概略図である。
【図２】回転担持体の概略斜視図である。
【図３】回転担持体における吊し糸のパターンの形成機構の説明図である。
【図４】回転担持体の下流の超音波溶着装置付近の概略斜視図である。
【図５】抽出バッグ用シート巻取ロールの斜視図である。
【図６】抽出バッグ用シートの製造装置の全体概略図である。
【図７】抽出バッグ用シート巻取ロールの斜視図である。
【図８】回転担持体を用いて製造する従来の抽出バッグ用シートの平面図である。
【符号の説明】
【００５９】
１Ａ、１Ｂ    抽出バッグ用シート
１Ｘ  従来の抽出バッグ用シート
２    通水濾過性シート
３    タグ
３ｂ  タグ用テープ
４    吊し糸
４ｂ  糸材
１０、１０ａ、１０ｂ    回転担持体
１１    タグ保持プレート
１２    ピン
１３    プッシャー（引出手段）
１４    溝
１５    回転刃
１６    吸引手段
１７    吸引手段
２１    タグ巻取ロール
２２    糸材巻取ロール
２３    通水濾過性シート巻取ロール
２４    抽出バッグ用シート巻取ロール
２５ａ、２５ｂ、２５ｃ    テンション調整装置
２６    糸折返ローラー
３０    タグカット供給装置
３１    ギロチン刃
４０    第１の超音波溶着装置
４１    第２の超音波溶着装置
４２    第３の超音波溶着装置
４３    第４の超音波溶着装置
１００Ａ、１００Ｂ    抽出バッグ用シートの製造装置
Ｐ1、Ｐ2、Ｐ3、Ｐ4    接着部位
Ｑ    糸材の切断位置
【図１】
2010064769.tif 000003
【図２】
2010064769.tif 000004
【図３】
2010064769.tif 000005
【図４】
2010064769.tif 000006
【図５】
2010064769.tif 000007
【図６】
2010064769.tif 000008
【図７】
2010064769.tif 000009
【図８】
2010064769.tif 000010